(57)【特許請求の範囲】
【請求項１】
第１の基材部と第２の基材部を有する袋本体と、
前記袋本体のいずれかの縁に取付けられた注出口と、を備え、
前記注出口は、注出口本体と、前記袋本体に接合される注出口取付部と、を有し、
前記注出口が取付けられた前記袋本体の前記縁において、前記注出口取付部は前記第１の基材部と前記第２の基材部に接合され、前記注出口が取付けられた前記袋本体の前記縁のうち前記注出口取付部以外の領域で前記第１の基材部と前記第２の基材部が接合され、
前記第１の基材部のうちの前記注出口取付部の両端と前記第２の基材部との境目に対面する部分と、前記第２の基材部のうちの前記注出口取付部の両端と前記第１の基材部との境目に対面する部分と、を少なくとも覆う保護装置が設けられ、
前記保護装置は、前記第１の基材部に沿うようにして延び、且つ、前記第１の基材部のうちの前記注出口取付部の両端と前記第２の基材部との境目に対面する部分に隣接し前記第２の基材部と接合する面状の領域および前記第１の基材部のうちの前記注出口取付部の両端と前記第２の基材部との境目に対面する部分に隣接し前記注出口取付部と接合する領域も覆い、
前記保護装置は、前記第２の基材部に沿うようにして延び、且つ、前記第２の基材部のうちの前記注出口取付部の両端と前記第１の基材部との境目に対面する部分に隣接し前記第１の基材部と接合する面状の領域および前記第２の基材部のうちの前記注出口取付部の両端と前記第１の基材部との境目に対面する部分に隣接し前記注出口取付部と接合する領域も覆う、液体収納容器。
【請求項２】
前記保護装置は、前記第１の基材部に沿うようにして延び、前記第１の基材部のうちの前記注出口取付部の両端と前記第２の基材部との境目に対面する部分に向けて突出した角部を有し、
前記保護装置は、前記第２の基材部に沿うようにして延び、前記第２の基材部のうちの前記注出口取付部の両端と前記第１の基材部との境目に対面する部分に向けて突出した角部を有する、請求項１に記載の液体収納容器。
【請求項３】
第１の基材部と第２の基材部を有する袋本体と、
前記袋本体のいずれかの縁に取付けられた注出口と、を備え、
前記注出口は、注出口本体と、前記袋本体に接合される注出口取付部と、を有し、
前記注出口が取付けられた前記袋本体の前記縁において、前記注出口取付部は前記第１の基材部と前記第２の基材部に接合され、前記注出口が取付けられた前記袋本体の前記縁のうち前記注出口取付部以外の領域で前記第１の基材部と前記第２の基材部が接合され、
前記第１の基材部のうちの前記注出口取付部の両端と前記第２の基材部との境目に対面する部分と、前記第２の基材部のうちの前記注出口取付部の両端と前記第１の基材部との境目に対面する部分と、を少なくとも覆う保護装置が設けられ、
前記保護装置は、前記第１の基材部に沿うようにして延び、且つ、前記第１の基材部のうちの前記注出口取付部の両端と前記第２の基材部との境目に対面する部分に隣接し前記第２の基材部と接合する面状の領域も覆い、
前記保護装置は、前記第２の基材部に沿うようにして延び、且つ、前記第２の基材部のうちの前記注出口取付部の両端と前記第１の基材部との境目に対面する部分に隣接し前記第１の基材部と接合する面状の領域も覆い、
前記保護装置は、前記第１の基材部に沿うようにして延び、且つ、前記第１の基材部のうちの前記注出口取付部の両端と前記第２の基材部との境目に対面する部分に隣接し前記第２の基材部と接合する面状の領域に対面して配置される第１の板状部を有し、
前記保護装置は、前記第２の基材部に沿うようにして延び、且つ、前記第２の基材部のうちの前記注出口取付部の両端と前記第１の基材部との境目に対面する部分に隣接し前記第１の基材部と接合する面状の領域に対面して配置される第２の板状部を有する、液体収納容器。
【請求項４】
前記注出口が取付けられた前記縁に沿った前記第１の板状部の長さは、前記注出口が取付けられた前記縁に垂直な方向に沿った前記第１の基材部および前記第２の基材部の接合部の長さよりも長く、
前記注出口が取付けられた前記縁に沿った前記第２の板状部の長さは、前記注出口が取付けられた前記縁に垂直な方向に沿った前記第１の基材部および前記第２の基材部の接合部の長さよりも長い、請求項３に一項に記載の液体収納容器。
【請求項５】
前記保護装置は、前記第１の基材部に沿うようにして延び、且つ、前記第１の基材部のうちの前記注出口取付部の両端と前記第２の基材部との境目に対面する部分に隣接し前記注出口取付部と接合する領域に対面して配置される第３の板状部を有し、
前記保護装置は、前記第２の基材部に沿うようにして延び、且つ、前記第２の基材部のうちの前記注出口取付部の両端と前記第１の基材部との境目に対面する部分に隣接し前記注出口取付部と接合する領域に対面して配置される第４の板状部を有する、請求項３又は４に記載の液体収納容器。
【請求項６】
前記第１の板状部および前記第３の板状部は屈曲するようにして接続し、
前記第２の板状部および前記第４の板状部は屈曲するようにして接続している、請求項５に記載の液体収納容器。
【請求項７】
前記第１の板状部は平板状であり、前記第２の板状部は平板状である、請求項３乃至６のいずれか一項に記載の液体収納容器。
【請求項８】
前記第１の基材部のうちの前記注出口取付部の両端と前記第２の基材部との境目に対面する部分に隣接し前記第２の基材部と接合する前記面状の領域の、前記注出口が取付けられた前記袋本体の前記縁に沿った、長さは、前記第１の基材部および前記第２の基材部の接合部の、前記注出口が取付けられた前記縁に垂直な方向に沿った、長さよりも長く、
前記第２の基材部のうちの前記注出口取付部の両端と前記第１の基材部との境目に対面する部分に隣接し前記第１の基材部と接合する前記面状の領域の、前記注出口が取付けられた前記袋本体の前記縁に沿った、長さは、前記第１の基材部および前記第２の基材部の接合部の、前記注出口が取付けられた前記縁に垂直な方向に沿った、長さよりも長い、請求項１乃至７のいずれか一項に記載の液体収納容器。
【請求項９】
前記保護装置は、前記第１の基材部のうちの前記注出口取付部の両端と前記第２の基材部との境目に対面する部分を前記注出口が取付けられた前記袋本体の前記縁に沿って内包する領域と、前記第２の基材部のうちの前記注出口取付部の両端と前記第１の基材部との境目に対面する部分を前記注出口が取付けられた前記袋本体の前記縁に沿って内包する領域と、を少なくとも覆う、請求項１乃至８のいずれか一項に記載の液体収納容器。
【請求項１０】
前記保護装置は、前記第１の基材部のうちの前記注出口取付部の両端と前記第２の基材部との境目と対面する部分を前記注出口が取付けられた前記袋本体の前記縁に垂直な方向において内包する領域と、前記第２の基材部のうちの前記注出口取付部の両端と前記第１の基材部との境目に対面する部分を前記注出口が取付けられた前記袋本体の前記縁に垂直な方向において内包する領域と、を少なくとも覆う、請求項１乃至９のいずれか一項に記載の液体収納容器。
【請求項１１】
前記保護装置は、
前記第１の基材部のうちの前記注出口取付部の両端と前記第２の基材部との境目と対面する部分の、前記注出口が取付けられた前記袋本体の前記縁に垂直な方向における前記注出口本体から離間する側となる、端部と、
前記第２の基材部のうちの前記注出口取付部の両端と前記第１の基材部との境目と対面する部分の、前記注出口が取付けられた前記袋本体の前記縁に垂直な方向における前記注出口本体から離間する側となる、端部と、を少なくとも覆う、請求項１乃至１０のいずれか一項に記載の液体収納容器。
【請求項１２】
保護装置は、前記注出口取付部の両端近傍において前記第１の基材部と前記第２の基材部の接合部を覆う、請求項１乃至１１のいずれか一項に記載の液体収納容器。
【請求項１３】
前記保護装置は、前記注出口が取付けられた前記袋本体の前記縁に沿った少なくとも一部の面状の領域において、前記第１の基材部と前記第２の基材部との接合部を前記注出口が取付けられた前記袋本体の前記縁に垂直な方向において内包する領域を少なくとも覆う、請求項１乃至１２のいずれか一項に記載の液体収納容器。
【請求項１４】
前記保護装置は、前記注出口が取付けられた前記袋本体の前記縁に沿った少なくとも一部の面状の領域において、前記第１の基材部と前記第２の基材部との接合部の、前記注出口が取付けられた前記袋本体の前記縁に垂直な方向における前記注出口本体から離間する側となる、縁部を少なくとも覆う、請求項１乃至１３のいずれか一項に記載の液体収納容器。
【請求項１５】
前記保護装置は、前記注出口が取付けられた前記袋本体の前記縁に沿った少なくとも一部の領域において、前記第１の基材部と注出口取付部との接合部を前記注出口が取付けられた前記袋本体の前記縁に垂直な方向において内包する領域と、前記第２の基材部と注出口取付部との接合部を前記注出口が取付けられた前記袋本体の前記縁に垂直な方向において内包する領域と、を少なくとも覆う、請求項１乃至１４のいずれか一項に記載の液体収納容器。
【請求項１６】
前記保護装置は、前記注出口が取付けられた前記袋本体の前記縁に沿った少なくとも一部の領域において、前記第１の基材部と注出口取付部との接合部の、前記注出口が取付けられた前記袋本体の前記縁に垂直な方向における前記注出口本体から離間する側となる、縁部と、前記第２の基材部と注出口取付部との接合部の、前記注出口が取付けられた前記袋本体の前記縁に垂直な方向における前記注出口本体から離間する側となる、縁部と、を少なくとも覆う、請求項１乃至１５のいずれか一項に記載の液体収納容器。
【請求項１７】
前記保護装置は、前記注出口が取付けられた前記袋本体の前記縁が入り込む収納溝を含む、請求項１乃至１６のいずれか一項に記載の液体収納容器。
【請求項１８】
前記保護装置は互いに連結可能な一対の保護具を有し、
各保護具は、いずれも、前記注出口が取付けられた前記袋本体の前記縁が入り込む収納溝を含む保護具本体を有する、請求項１乃至１７のいずれか一項に記載の液体収納容器。
【請求項１９】
各保護具は、前記第１の基材部及び前記第２の基材部の接合部を覆う保護具本体と、前記保護具本体から２つに分岐する二股部と、を有し、
一方の保護具の二股部の先端部と他方の保護具の二股部の先端部とが互いに連結されて、前記一対の保護具は前記注出口取付部を囲む、請求項１８記載の液体収納容器。
【請求項２０】
各保護具は、前記保護具本体および前記二股部の少なくともいずれかに接続し且つ前記注出口に接触することで前記注出口に対して当該保護具を位置決めする位置決め部を、更に有する、請求項１９に記載の液体収納容器。
【請求項２１】
前記位置決め部は、前記注出口に面接触する主面と、前記注出口に接触し前記主面に対して非平行な端面と、を有する板状部を含む、請求項２０に記載の液体収納容器。
【請求項２２】
前記位置決め部は、前記二股部をなす第１腕部及び第２腕部に接続している、請求項２０又は２１に記載の液体収納容器。
【請求項２３】
前記一対の保護具は、同一の構成を有する、請求項１９乃至２２のいずれか一項に記載の液体収納容器。
【請求項２４】
前記保護装置は前記注出口に連結される、請求項１乃至２３のいずれか一項に記載の液体収納容器。
【請求項２５】
前記保護装置は、前記注出口に接触することで、前記注出口が取付けられた前記袋本体の前記縁に垂直な方向への移動を規制される、請求項１乃至２４のいずれか一項に記載の液体収納容器。
【請求項２６】
前記保護装置は、前記袋本体上に配置された状態で前記注出口に接触している、請求項２５に記載の液体収納容器。
【請求項２７】
前記保護装置は、前記注出口が取付けられた前記袋本体の前記縁を覆う領域が前記袋本体の縁両端部まで達しない、請求項１乃至２６のいずれか一項に記載の液体収納容器。
【請求項２８】
請求項１〜２７のいずれか一項に記載の液体収納容器と、
前記液体収納容器を収納するとともに、前記注出口が装着される開口部を有する外装容器と、を備えた、液体収納容器と外装容器の組合体。
【請求項２９】
前記液体収納容器の前記袋本体内に、内容液が収納された、請求項２８に記載の液体収納容器と外装容器の組合体。
【請求項３０】
請求項１〜２７のいずれか一項に記載の液体収納容器と、
前記注出口本体に装着される保持具と、を備え、
前記保護装置が前記保持具に連結されている、液体収納容器と保持具の組合体。
【請求項３１】
第１の基材部および第２の基材部を有し、縁において前記第１の基材部及び前記第２の基材部が接合された袋本体と、
前記袋本体の前記縁から突出した注出口本体と、前記第１の基材部及び前記第２の基材部が接合されている領域以外の領域において前記第１の基材部及び前記第２の基材部の間に配置され且つ前記第１の基材部及び前記第２の基材部に接合した注出口取付部と、を有する注出口と、を備える液体収納容器に取り付けられる保護装置であって、
前記第１の基材部のうちの前記注出口取付部の両端と前記第２の基材部との境目に対面する部分と、
前記第２の基材部のうちの前記注出口取付部の両端と前記第１の基材部との境目に対面する部分と、
前記第１の基材部に沿うようにして延び、且つ、前記第１の基材部のうちの前記注出口取付部の両端と前記第２の基材部との境目に対面する部分に隣接し前記第２の基材部と接合する面状の領域および前記第１の基材部のうちの前記注出口取付部の両端と前記第２の基材部との境目に対面する部分に隣接し前記注出口取付部と接合する領域と、
前記第２の基材部に沿うようにして延び、且つ、前記第２の基材部のうちの前記注出口取付部の両端と前記第１の基材部との境目に対面する部分に隣接し前記第１の基材部と接合する面状の領域および前記第２の基材部のうちの前記注出口取付部の両端と前記第１の基材部との境目に対面する部分に隣接し前記注出口取付部と接合する領域と、を少なくとも覆う、保護装置。
【請求項３２】
第１の基材部および第２の基材部を有し、縁において前記第１の基材部及び前記第２の基材部が接合された袋本体と、
前記袋本体の前記縁から突出した注出口本体と、前記第１の基材部及び前記第２の基材部が接合されている領域以外の領域において前記第１の基材部及び前記第２の基材部の間に配置され且つ前記第１の基材部及び前記第２の基材部に接合した注出口取付部と、を有する注出口と、を備える液体収納容器に取り付けられる保護装置であって、
前記第１の基材部に沿うようにして延び、且つ、前記第１の基材部のうちの前記注出口取付部の両端と前記第２の基材部との境目に対面する部分に隣接し前記第２の基材部と接合する面状の領域に対面して配置される第１の板状部と、前記保護装置は、前記第２の基材部に沿うようにして延び、且つ、前記第２の基材部のうちの前記注出口取付部の両端と前記第１の基材部との境目に対面する部分に隣接し前記第１の基材部と接合する面状の領域に対面して配置される第２の板状部と、を備え、
前記第１の基材部のうちの前記注出口取付部の両端と前記第２の基材部との境目に対面する部分と、
前記第２の基材部のうちの前記注出口取付部の両端と前記第１の基材部との境目に対面する部分と、
前記第１の基材部に沿うようにして延び、且つ、前記第１の基材部のうちの前記注出口取付部の両端と前記第２の基材部との境目に対面する部分に隣接し前記第２の基材部と接合する面状の領域と、
前記第２の基材部に沿うようにして延び、且つ、前記第２の基材部のうちの前記注出口取付部の両端と前記第１の基材部との境目に対面する部分に隣接し前記第１の基材部と接合する面状の領域と、を少なくとも覆う、保護装置。
【発明の詳細な説明】
【技術分野】
【０００１】
本開示の実施形態は、液体収納容器に係り、とりわけ工業薬品分野、医薬品や化粧品原料分野等で流動性内容物の保管や輸送に供せられる液体収納容器に関する。
【背景技術】
【０００２】
従来、工業薬品分野、医薬品や化粧品原料分野等で、保管や輸送にアルミニウム、プラスチック、スチール、ステンレス、ファイバーボード等で作られた外装容器の内部に配置され、流動性内容物を収容する液体収納容器（例えば、ＪＰ２０１３−１４４５６１Ａ）が使用されている。【０００３】
このような液体収納容器は、使用済みの液体収納容器を外装容器から取り出し、新たな液体収納容器を外装容器内にセットするだけで再使用することができるために、例えば、液体収納容器を使用せずに直にプラスチックやスチール等の外装容器に流動性内容物を充填する場合に比べて、洗浄する手間等が省けるなどの利点があり、工業薬品、医薬品や化粧品原料の容器として広く使用されている。【０００４】
また液体収納容器として、袋本体と、袋本体に取付けられた注出口とを有する扁平状のものが知られている。このような液体収納容器は、まずコンパクトに折畳まれ外装容器の開口部から外装容器内に挿入される。その後液体収納容器は外装容器内で膨らまされて、外装容器内に液体収納容器の外形が外装容器の内面に沿うよう配置される。【０００５】
液体収納容器を配置する外装容器として大容量のものが用いられる場合、例えば容量として１０００ｌ程度の大きさの外装容器が用いられ、外装容器はコンテナのような六面体の箱型形状を有する。この場合、箱型の外装容器の内面形状に合わせて膨らむことが可能な六面体の箱型の液体収納容器を用いることが検討されている。【０００６】
一方、袋本体は互いに接合された第１の基材部と第２の基材部とを有し、注出口は袋本体の一端縁に接合される。このような液体収納容器内に大容量の内容物を充填した場合、注出口近傍の第１の基材部と第２の基材部の接合部に大きな荷重負荷が加わり、袋本体がこの部分から破れることがある。
【発明の開示】
【０００７】
本開示の実施形態はこのような点を考慮してなされたものであり、液体収納容器内に内容物を充填した際、注出口近傍の第１の基材と第２の基材の接合部に大きな荷重負荷が加わっても、この接合部を効果的に保護することができる液体収納容器を提供することを目的とする。
【０００８】
本開示による第１の液体収納容器は、
第１の基材部と第２の基材部を有する袋本体と、
前記袋本体のいずれかの縁に取付けられた注出口と、を備え、
前記注出口は、注出口本体と、前記袋本体に接合される注出口取付部と、を有し、
前記注出口が取付けられた前記袋本体の前記縁において、前記注出口取付部は前記第１の基材部と前記第２の基材部に接合され、前記注出口が取付けられた前記袋本体の前記縁のうち前記注出口取付部以外の領域で前記第１の基材部と前記第２の基材部が接合され、少なくとも前記注出口取付部の両端近傍において前記第１の基材部と前記第２の基材部の接合部を覆う保護装置が設けられている。
【０００９】
本開示による第２の液体収納容器は、
第１の基材部と第２の基材部を有する袋本体と、
前記袋本体のいずれかの縁に取付けられた注出口と、を備え、
前記注出口は、注出口本体と、前記袋本体に接合される注出口取付部と、を有し、
前記注出口が取付けられた前記袋本体の前記縁において、前記注出口取付部は前記第１の基材部と前記第２の基材部に接合され、前記注出口が取付けられた前記袋本体の前記縁のうち前記注出口取付部以外の領域で前記第１の基材部と前記第２の基材部が接合され、
前記第１の基材部のうちの前記注出口取付部の両端と前記第２の基材部との境目に対面する部分と、前記第２の基材部のうちの前記注出口取付部の両端と前記第１の基材部との境目に対面する部分と、を少なくとも覆う保護装置が設けられている。
【００１０】
本開示による第３の液体収納容器は、
第１の基材部と第２の基材部を有する袋本体と、
前記袋本体のいずれかの縁に取付けられた注出口と、
前記袋本体を少なくとも部分的に覆う保護部材と、を備え、
前記注出口は、注出口本体と、前記袋本体に接合される注出口取付部と、を有し、
前記注出口が取付けられた前記袋本体の前記縁において、前記注出口取付部は前記第１の基材部と前記第２の基材部に接合され、前記注出口が取付けられた前記袋本体の前記縁のうち前記注出口取付部以外の領域で前記第１の基材部と前記第２の基材部が接合され、
前記保護装置は、
前記第１の基材部のうちの前記注出口取付部の両端と前記第２の基材部との境目と対面する部分の、前記注出口が取付けられた前記袋本体の前記縁に垂直な方向における前記注出口本体から離間する側となる、端部と、
前記第２の基材部のうちの前記注出口取付部の両端と前記第１の基材部との境目と対面する部分の、前記注出口が取付けられた前記袋本体の前記縁に垂直な方向における前記注出口本体から離間する側となる、端部と、を少なくとも覆う。
【００１１】
本開示による第４の液体収納容器は、
第１の基材部と第２の基材部を有する袋本体と、
前記袋本体のいずれかの縁に取付けられた注出口と、
前記袋本体を少なくとも部分的に覆う保護部材と、を備え、
前記注出口は、注出口本体と、前記袋本体に接合される注出口取付部と、を有し、
前記注出口が取付けられた前記袋本体の前記縁において、前記注出口取付部は前記第１の基材部と前記第２の基材部に接合され、前記注出口が取付けられた前記袋本体の前記縁のうち前記注出口取付部以外の領域で前記第１の基材部と前記第２の基材部が接合され、
前記保護装置は、前記注出口が取付けられた前記袋本体の前記縁に沿った少なくとも一部の領域において、前記第１の基材部と前記第２の基材部との接合部の、前記注出口が取付けられた前記袋本体の前記縁に垂直な方向における前記注出口本体から離間する側となる、縁部を少なくとも覆う。
【００１２】
本開示による第５の液体収納容器は、
第１の基材部と第２の基材部を有する袋本体と、
前記袋本体のいずれかの縁に取付けられた注出口と、
前記袋本体を少なくとも部分的に覆う保護部材と、を備え、
前記注出口は、注出口本体と、前記袋本体に接合される注出口取付部と、を有し、
前記注出口が取付けられた前記袋本体の前記縁において、前記注出口取付部は前記第１の基材部と前記第２の基材部に接合され、前記注出口が取付けられた前記袋本体の前記縁のうち前記注出口取付部以外の領域で前記第１の基材部と前記第２の基材部が接合され、
前記保護装置は、前記注出口が取付けられた前記袋本体の前記縁に沿った少なくとも一部の領域において、前記第１の基材部と注出口取付部との接合部の、前記注出口が取付けられた前記袋本体の前記縁に垂直な方向における前記注出口本体から離間する側となる、縁部と、前記第２の基材部と注出口取付部との接合部の、前記注出口が取付けられた前記袋本体の前記縁に垂直な方向における前記注出口本体から離間する側となる、縁部と、を少なくとも覆う。
【００１３】
本開示によるいずれかの液体収納容器において、前記保護装置は、前記第１の基材部のうちの前記注出口取付部の両端と前記第２の基材部との境目に対面する部分を前記注出口が取付けられた前記袋本体の前記縁に沿って内包する領域と、前記第２の基材部のうちの前記注出口取付部の両端と前記第１の基材部との境目に対面する部分を前記注出口が取付けられた前記袋本体の前記縁に沿って内包する領域と、を少なくとも覆うようにしてもよい。
【００１４】
本開示によるいずれかの液体収納容器において、前記保護装置は、前記第１の基材部のうちの前記注出口取付部の両端と前記第２の基材部との境目と対面する部分を前記注出口が取付けられた前記袋本体の前記縁に垂直な方向において内包する領域と、前記第２の基材部のうちの前記注出口取付部の両端と前記第１の基材部との境目に対面する部分を前記注出口が取付けられた前記袋本体の前記縁に垂直な方向において内包する領域と、を少なくとも覆うようにしてもよい。
【００１５】
本開示によるいずれかの液体収納容器において、
前記保護装置は、
前記第１の基材部のうちの前記注出口取付部の両端と前記第２の基材部との境目と対面する部分の、前記注出口が取付けられた前記袋本体の前記縁に垂直な方向における前記注出口本体から離間する側となる、端部と、
前記第２の基材部のうちの前記注出口取付部の両端と前記第１の基材部との境目と対面する部分の、前記注出口が取付けられた前記袋本体の前記縁に垂直な方向における前記注出口本体から離間する側となる、端部と、を少なくとも覆うようにしてもよい。
【００１６】
本開示によるいずれかの液体収納容器において、保護装置は、前記注出口取付部の両端近傍において前記第１の基材部と前記第２の基材部の接合部を覆うようにしてもよい。
【００１７】
本開示によるいずれかの液体収納容器において、前記保護装置は、前記注出口が取付けられた前記袋本体の前記縁に沿った少なくとも一部の領域において、前記第１の基材部と前記第２の基材部との接合部を前記注出口が取付けられた前記袋本体の前記縁に垂直な方向において内包する領域を少なくとも覆うようにしてもよい。
【００１８】
本開示によるいずれかの液体収納容器において、前記保護装置は、前記注出口が取付けられた前記袋本体の前記縁に沿った少なくとも一部の領域において、前記第１の基材部と前記第２の基材部との接合部の、前記注出口が取付けられた前記袋本体の前記縁に垂直な方向における前記注出口本体から離間する側となる、縁部を少なくとも覆うようにしてもよい。
【００１９】
本開示によるいずれかの液体収納容器において、前記保護装置は、前記注出口が取付けられた前記袋本体の前記縁に沿った少なくとも一部の領域において、前記第１の基材部と注出口取付部との接合部を前記注出口が取付けられた前記袋本体の前記縁に垂直な方向において内包する領域と、前記第２の基材部と注出口取付部との接合部を前記注出口が取付けられた前記袋本体の前記縁に垂直な方向において内包する領域と、を少なくとも覆うようにしてもよい。
【００２０】
本開示によるいずれかの液体収納容器において、前記保護装置は、前記注出口が取付けられた前記袋本体の前記縁に沿った少なくとも一部の領域において、前記第１の基材部と注出口取付部との接合部の、前記注出口が取付けられた前記袋本体の前記縁に垂直な方向における前記注出口本体から離間する側となる、縁部と、前記第２の基材部と注出口取付部との接合部の、前記注出口が取付けられた前記袋本体の前記縁に垂直な方向における前記注出口本体から離間する側となる、縁部と、を少なくとも覆うようにしてもよい。
【００２１】
本開示によるいずれかの液体収納容器において、前記保護装置は、前記注出口が取付けられた前記袋本体の前記縁が入り込む収納溝を含むようにしてもよい。
【００２２】
本開示によるいずれかの液体収納容器において、
前記保護装置は互いに連結可能な一対の保護具を有し、
各保護具は、いずれも、前記注出口が取付けられた前記袋本体の前記縁が入り込む収納溝を含む保護具本体を有するようにしてもよい。
【００２３】
本開示によるいずれかの液体収納容器において、
各保護具は、前記第１の基材部及び前記第２の基材部の接合部を覆う保護具本体と、前記保護具本体から２つに分岐する二股部と、を有し、
一方の保護具の二股部の先端部と他方の保護具の二股部の先端部とが互いに連結されて、前記一対の保護具は前記注出口取付部を囲むようにしてもよい。
【００２４】
本開示によるいずれかの液体収納容器において、各保護具は、前記保護具本体および前記二股部の少なくともいずれかに接続し且つ前記注出口に接触することで前記注出口に対して当該保護具を位置決めする位置決め部を、更に有するようにしてもよい。
【００２５】
本開示によるいずれかの液体収納容器において、前記位置決め部は、前記注出口に面接触する主面と、前記注出口に接触し前記主面に対して非平行な端面と、を有する板状部を含むようにしてもよい。
【００２６】
本開示によるいずれかの液体収納容器において、前記位置決め部は、前記二股部をなす第１腕部及び第２腕部に接続していてもよい。
【００２７】
本開示によるいずれかの液体収納容器において、前記一対の保護具は、同一の構成を有するようにしてもよい。
【００２８】
本開示によるいずれかの液体収納容器において、前記保護装置は前記注出口に連結されるようにしてもよい。
【００２９】
本開示によるいずれかの液体収納容器において、前記保護装置は、前記注出口が取付けられた前記袋本体の前記縁を覆う領域が前記袋本体の縁両端部まで達しないようにしてもよい。
【００３０】
本開示による液体収納容器と外装容器の組合体は、
本開示によるいずれかの液体収納容器と、
前記液体収納容器を収納するとともに、前記注出口が装着される開口部を有する外装容器と、を備える。
【００３１】
本開示による液体収納容器と外装容器の組合体において、前記液体収納容器の前記袋本体内に、内容液が収納されていてもよい。
【００３２】
本開示による液体収納容器と保持具の組合体は、
本開示によるいずれかの液体収納容器と、
前記注出口本体に装着される保持具と、を備え、
前記保護装置が前記保持具に連結されている。
【００３３】
本開示による第１の保護装置は、
第１の基材部および第２の基材部を有し、いずれかの縁において前記第１の基材部及び前記第２の基材部が接合された袋本体と、
前記袋本体の前記縁から突出した注出口本体と、前記第１の基材部及び前記第２の基材部が接合されている領域以外の領域において前記第１の基材部及び前記第２の基材部の間に配置され且つ前記第１の基材部及び前記第２の基材部に接合した注出口取付部と、を有する注出口と、を備える液体収納容器に取り付けられる保護装置であって、
少なくとも前記注出口取付部の両端近傍において前記第１の基材部と前記第２の基材部の接合部を覆う。
【００３４】
本開示による第２の保護装置は、
第１の基材部および第２の基材部を有し、いずれかの縁において前記第１の基材部及び前記第２の基材部が接合された袋本体と、
前記袋本体の前記縁から突出した注出口本体と、前記第１の基材部及び前記第２の基材部が接合されている領域以外の領域において前記第１の基材部及び前記第２の基材部の間に配置され且つ前記第１の基材部及び前記第２の基材部に接合した注出口取付部と、を有する注出口と、を備える液体収納容器に取り付けられる保護装置であって、
前記第１の基材部のうちの前記注出口取付部の両端と前記第２の基材部との境目に対面する部分と、前記第２の基材部のうちの前記注出口取付部の両端と前記第１の基材部との境目に対面する部分と、を少なくとも覆う。
【００３５】
本開示による第３の保護装置は、
第１の基材部および第２の基材部を有し、いずれかの縁において前記第１の基材部及び前記第２の基材部が接合された袋本体と、
前記袋本体の前記縁から突出した注出口本体と、前記第１の基材部及び前記第２の基材部が接合されている領域以外の領域において前記第１の基材部及び前記第２の基材部の間に配置され且つ前記第１の基材部及び前記第２の基材部に接合した注出口取付部と、を有する注出口と、を備える液体収納容器に取り付けられる保護装置であって、
前記第１の基材部のうちの前記注出口取付部の両端と前記第２の基材部との境目と対面する部分の、前記注出口が取付けられた前記袋本体の前記縁に垂直な方向における前記注出口本体から離間する側となる、端部と、
前記第２の基材部のうちの前記注出口取付部の両端と前記第１の基材部との境目と対面する部分の、前記注出口が取付けられた前記袋本体の前記縁に垂直な方向における前記注出口本体から離間する側となる、端部と、を少なくとも覆う。
【００３６】
本開示による第４の保護装置は、
第１の基材部および第２の基材部を有し、いずれかの縁において前記第１の基材部及び前記第２の基材部が接合された袋本体と、
前記袋本体の前記縁から突出した注出口本体と、前記第１の基材部及び前記第２の基材部が接合されている領域以外の領域において前記第１の基材部及び前記第２の基材部の間に配置され且つ前記第１の基材部及び前記第２の基材部に接合した注出口取付部と、を有する注出口と、を備える液体収納容器に取り付けられる保護装置であって、
前記注出口が取付けられた前記袋本体の前記縁に沿った少なくとも一部の領域において、前記第１の基材部と前記第２の基材部との接合部の、前記注出口が取付けられた前記袋本体の前記縁に垂直な方向における前記注出口本体から離間する側となる、縁部を少なくとも覆う。
【００３７】
本開示による第５の保護装置は、
第１の基材部および第２の基材部を有し、いずれかの縁において前記第１の基材部及び前記第２の基材部が接合された袋本体と、
前記袋本体の前記縁から突出した注出口本体と、前記第１の基材部及び前記第２の基材部が接合されている領域以外の領域において前記第１の基材部及び前記第２の基材部の間に配置され且つ前記第１の基材部及び前記第２の基材部に接合した注出口取付部と、を有する注出口と、を備える液体収納容器に取り付けられる保護装置であって、
前記注出口が取付けられた前記袋本体の前記縁に沿った少なくとも一部の領域において、前記第１の基材部と注出口取付部との接合部の、前記注出口が取付けられた前記袋本体の前記縁に垂直な方向における前記注出口本体から離間する側となる、縁部と、前記第２の基材部と注出口取付部との接合部の、前記注出口が取付けられた前記袋本体の前記縁に垂直な方向における前記注出口本体から離間する側となる、縁部と、を少なくとも覆う。
【００３８】
以上のように本開示によれば、液体収納容器内に内容物を充填した際、注出口の両端近傍の第１の基材と第２の基材の接合部に大きな荷重負荷が加わっても、この接合部を効果的に保護することができる液体収納容器を提供することができる。
【図面の簡単な説明】
【００３９】
【図１】図１は本開示の実施形態による液体収納容器を示す斜視図。
【図２】図２は液体収納容器を装着された保護装置を示す図。
【図３】図３は液体収納容器の上縁部分と保護装置を示す側面図。
【図４】図４は液体収納容器の上縁部分を示す側面図。
【図５Ａ】図５Ａは保護装置の表側を示す斜視図。
【図５Ｂ】図５Ｂは保護装置の裏側を示す斜視図。
【図５Ｃ】図５Ｃは保護装置の他の例の表側を示す斜視図。
【図５Ｄ】図５Ｄは保護装置の他の例の裏側を示す斜視図。
【図６Ａ】図６Ａは本実施形態の変形例を示す側面図。
【図６Ｂ】図６Ｂは本実施形態の他の変形例を示す側面図。
【図６Ｃ】図６Ｃは本実施形態の他の変形例を示す正面図。
【図６Ｄ】図６Ｄは図６Ｃに示す保護装置が開いた状態を示す斜視図。
【図７Ａ】図７Ａは本実施形態の他の変形例を示す側面図。
【図７Ｂ】図７Ｂは本実施形態の刃の変形例を示す側面図。
【図８】図８は本開示の実施形態による液体収納容器を示す図。
【図９】図９は液体収納容器を作製する状態を示す図。
【図１０】図１０は液体収納容器の折畳み作用を示す図。
【図１１】図１１は液体収納容器の折畳み作用を示す図。
【図１２】図１２は液体収納容器の折畳み作用を示す図。
【図１３】図１３は液体収納容器の折畳み作用を示す図。
【図１４】図１４は液体収納容器の折畳み作用を示す図。
【図１５】図１５は液体収納容器の折畳み作用を示す図。
【図１６】図１６は液体収納容器の折畳み作用を示す図。
【図１７】図１７は液体収納容器の折畳み作用を示す図。
【図１８】図１８は液体収納容器の折畳み作用を示す図。
【図１９】図１９は液体収納容器の折畳み作用を示す図。
【図２０】図２０は注出口を示す斜視図。
【図２１】図２１は、注出口と保持具の組合体を示す平面図。
【図２２】図２２は、注出口と保持具の組合体を示す側面図。
【図２３】図２３は液体収納容器を外装容器内に挿入する状態を示す図。
【図２４】図２４は破断試験の結果を示す図。
【発明を実施するための形態】
【００４０】
以下、図面を参照して本発明の実施の形態について説明する。
【００４１】
ここで図１乃至図２４は本発明の実施の形態を示す図である。
【００４２】
＜本実施の形態＞
図１乃至図６Ａ、図６Ｂに示すように、液体収納容器１は、少なくとも互いに接合された第１の基材部２Ａと、第２の基材部２Ｂとを有する六面体の箱型の袋本体３と、袋本体３に取付けられた注出口４０とを備えている。ここで、図２乃至図４は、袋本体を膨らます前の状態を示す図である。
【００４３】
このうち、袋本体３は、第１の基材部２Ａと第２の基材部２Ｂの上縁３ａおよび底縁３ｂが互いに接合されている。図示された例において、注出口４０は袋本体３の上縁３ａに取付けられている。この場合、注出口４０は注出口フランジ４２を有する注出口本体４１と、注出口本体４１の下方に連結され、袋本体３の上縁３ａに接合された注出口取付部５０とを有する（図４参照）。ただし、図示された例に限られず、袋本体３の平面視形状は種々の形状を採用することができる。また、袋本体４０は、袋本体３の上縁３ａ以外の縁に取り付けられるようにしてもよい。
なお、上述した箱型の袋本体３の構造の詳細については後述する。
【００４４】
また本明細書中で「上部」「上縁」「底部」「底縁」とは、注出口４０を上方へ向けて液体収納容器１を配置した場合における「上部」「上縁」「底部」「底縁」のことをいう。さらに「両側」とは袋本体３の上部と底部とを結ぶ注出口４０を通る直線に直交する幅方向両側をいう。
【００４５】
ところで袋本体３の上縁３ａにおいて、注出口４０の注出口取付部５０は第１の基材部２Ａおよび第２の基材部２Ｂに接合されており、かつ上縁３ａのうち注出口取付部５０以外の領域において第１の基材部２Ａと第２の基材部２Ｂが直接接合されている。このように袋本体３の上縁３ａを接合することにより、後述する上縁接合部１０ａが形成される。
【００４６】
袋本体３の上縁３ａにおいて、注出口取付部５０以外の領域において第１の基材部２Ａと第２の基材部２Ｂが直接接合される部分は、袋本体３内に内容物が充填された際、荷重負荷が加わる部分である。とりわけ注出口取付部５０の両端近傍において第１の基材部２Ａと第２の基材部２Ｂが接合される部分９０（図４参照）には、より大きな荷重負荷が加わる。
より厳密には、袋本体３の注出口取付部５０の両端に隣接する部分に、袋本体３内に内容物が充填された際に大きな荷重付加が加えられる。つまり、第１の基材部２Ａのうちの注出口取付部５０の両端と第２の基材部２Ｂとの境目９１Ａ（図４参照）に対面する部分に、袋本体３内に内容物が充填された際の大きな荷重付加が加えられる。同様に、第２の基材部２Ｂのうちの注出口取付部５０の両端と第１の基材部２Ａとの境目９１Ｂ（図３参照）に対面する部分に、袋本体３内に内容物が充填された際の大きな荷重付加が加えられる。
ここで、注出口取付部５０の両端とは、上縁３ａに沿う注出口取付部５０の両端のことをいう。言い換えると、注出口取付部５０の両端とは、図３及び図４の紙面における横方向となる液体収納容器１の幅方向における注出口取付部５０の両端のことをいう。
【００４７】
また注出口取付部５０においては、注出口取付部５０と、第１の基材部２Ａおよび第２の基材部２Ｂとの間で注出口取付部５０の融点以上に加熱して接合させることになる。このため加熱により第１の基材部２Ａおよび第２の基材部２Ｂが一部液状化し、袋本体３の内部側へ移行して合成樹脂の突起９２を形成する。
【００４８】
そして袋本体３内の内容物が充填されると、上述のように注出口取付部５０の両端近傍に大きな荷重負荷が加わり、この突起９２を起点として、第１の基材部２Ａあるいは第２の基材部２Ｂが破損することも考えられる。
【００４９】
このため本実施の形態においては、図３に示すように、袋本体３を覆うようにして保護装置２０が設けられている。袋本体３の保護装置２０によって覆われた領域は、保護装置２０によって剛性を付与され、変形しにくくなる。これにより、袋本体３が変形することに起因して、とりわけ袋本体３が一定の位置において注出口取付部５０に対して繰り返し相対動作することに起因して、袋本体３が破れてしまう等の破損を効果的に防止している。
【００５０】
本実施の形態において、保護装置２０は、少なくとも袋本体３のうちの注出口取付部５０の両端に隣接する部分を覆う。言い換えると、保護装置２０は、第１の基材部２Ａのうちの注出口取付部５０の両端と第２の基材部２Ｂとの境目９１Ａに対面する部分と、第２の基材部２Ｂのうちの注出口取付部５０の両端と第１の基材部２Ａとの境目９１Ｂに対面する部分と、を少なくとも覆う。図示された保護装置２０は、更に、注出口取付部５０の両端近傍における第１の基材部２Ａと第２の基材部２Ｂが接合される部分９０を覆うようになっている。
【００５１】
袋本体３のうちの注出口取付部５０の両端に隣接する部分において、さらには袋本体３のうちの注出口取付部５０の両端近傍における第１の基材部２Ａと第２の基材部２Ｂが接合される部分９０において、袋本体３は注出口取付部５０に対して相対動作しやすくなる。例えば、袋本体３は、注出口取付部５０の両端がなす軸線を中心として、注出口取付部５０に対して相対揺動しやすくなる。このような袋本体３の注出口取付部５０に対する動きにより、袋本体３は、この部分において破れ易くなる。とりわけ、袋本体３が所定の位置において注出口取付部５０に対して繰り返し動作することにより、袋本体３が当該位置またはその近傍にて著しく損傷しやすくなる。
【００５２】
この不具合に対処するため、本実施の形態では、袋本体３のうちの注出口取付部５０の両端に隣接する部分、さらには袋本体３のうちの注出口取付部５０の両端近傍における第１の基材部２Ａと第２の基材部２Ｂが接合される部分９０が、保護装置２０によって覆われる。保護装置２０が袋本体３を覆うことにより、袋本体３の注出口取付部５０に対して動き易い部分が、注出口取付部５０に対して動くことを効果的に防止することができる。したがって、この保護装置２０によれば、袋本体３の破れ等の破損を効果的に防止することができる。
【００５３】
すなわち、この保護装置２０により、上述した袋本体３のうちの注出口取付部５０の両端に隣接する部分、更には袋本体３のうちの注出口取付部５０の両端近傍となる部分９０に大きな荷重負荷が加わったとしても、袋本体３のこの部分を効果的に保護して、袋本体３がこの部分９０から破損することを効果的に防止することができる。
【００５４】
とりわけ、図３に示された例において、保護装置２０は、袋本体３のうちの注出口取付部５０の両端に隣接する部分を袋本体３の上縁３ａに沿って内包する領域を、覆っている。すなわち、保護装置２０は、第１の基材部２Ａのうちの注出口取付部５０の両端と第２の基材部２Ｂとの境目９１Ａに対面する部分を袋本体３の上縁３ａに沿って内包する領域を、覆っている。同様に、保護装置２０は、第２の基材部２Ｂのうちの注出口取付部５０の両端と第１の基材部２Ａとの境目９１Ｂに対面する部分を袋本体３の上縁３ａに沿って内包する領域を覆っている。更に言い換えると、保護装置２０が覆う領域は、第１の基材部２Ａのうちの注出口取付部５０の両端と第２の基材部２Ｂとの境目９１Ａに対面する部分を、袋本体３の上縁３ａに沿って内包している。また、保護装置２０が覆う領域は、第２の基材部２Ｂのうちの注出口取付部５０の両端と第１の基材部２Ａとの境目９１Ｂに対面する部分を、袋本体３の上縁３ａに沿って内包している。
【００５５】
ここで、基材部２Ａ，２Ｂのうちの境目９１Ａ，９１Ｂに対面する部分を袋本体３の上縁３ａに沿って内包する領域とは、袋本体３の上縁３ａに沿って長さを有した領域であって、袋本体３の上縁３ａに沿って端以外となる内部に境目９１Ａ又は境目９１Ｂを含む領域のことを指している。すなわち、保護装置２０は、基材部２Ａ，２Ｂのうちの境目９１Ａ，９１Ｂに対面する部分だけを覆うのではなく、袋本体３の上縁３ａに沿ってこの部分の両側に位置する部分も覆う。
【００５６】
このような保護装置２０によれば、袋本体３の破損が生じ易い部分が注出口取付部５０に対して動作することを効果的に防止することができ、これにより、袋本体３の破損をさらに効果的に防止することができる。
【００５７】
また、図３に示された保護装置２０は、袋本体３のうちの注出口取付部５０の両端に隣接する部分を袋本体３の上縁３ａに垂直な方向において内包する領域を覆っている。ここで、袋本体３の上縁３ａに垂直な方向とは、液体収納容器１をその袋本体３の上部と下部を結ぶ注出口４０を通る方向、すなわち上下方向となる。すなわち、保護装置２０は、第１の基材部２Ａのうちの注出口取付部５０の両端と第２の基材部２Ｂとの境目９１Ａに対面する部分を上下方向において内包する領域を覆っている。同様に、保護装置２０は、第２の基材部２Ｂのうちの注出口取付部５０の両端と第１の基材部２Ａとの境目９１Ｂに対面する部分を上下方向において内包する領域を覆っている。更に言い換えると、保護装置２０が覆う領域は、第１の基材部２Ａのうちの注出口取付部５０の両端と第２の基材部２Ｂとの境目９１Ａに対面する部分を、上下方向に内包している。また、保護装置２０が覆う領域は、第２の基材部２Ｂのうちの注出口取付部５０の両端と第１の基材部２Ａとの境目９１Ｂに対面する部分を、上下方向に内包している。
【００５８】
ここで、基材部２Ａ，２Ｂのうちの境目９１Ａ，９１Ｂに対面する部分を上下方向に内包する領域とは、上下方向に長さを有した領域であって、上下方向において端以外となる内部に境目９１Ａ又は境目９１Ｂを含む領域のことを指している。すなわち、保護装置２０は、基材部２Ａ，２Ｂのうちの境目９１Ａ，９１Ｂに対面する部分を全長に亘って覆い、更に、この部分の上下方向における両側に位置する部分も覆うことができる。
【００５９】
このような保護装置２０によれば、袋本体３の破損が生じ易い部分が注出口取付部５０に対して動作することを効果的に防止することができ、これにより、袋本体３の破損をさらに効果的に防止することができる。
【００６０】
さらに、保護装置２０は、袋本体３の上縁３ａに沿った少なくとも一部の領域において、第１の基材部２Ａと第２の基材部２Ｂとの接合部を袋本体３の上縁３ａに垂直な方向において内包する領域を覆うようにしてもよい。上述したように、保護装置２０は、注出口取付部の両端近傍における第１の基材部２Ａと第２の基材部２Ｂが接合される部分９０を覆っている。この保護装置２０が、両端近傍の部分９０を上下方向において内包する領域を覆うようになっていることが好ましい。すなわち、保護装置２０は、両端近傍の部分９０の上下方向に沿った全長に亘って注出口取付部の両端近傍部分を覆うことが好ましい。このような保護装置２０によれば、袋本体３の破損が生じ易い部分が注出口取付部５０に対して動作することを効果的に防止することができ、これにより、袋本体３の破損をさらに効果的に防止することができる。
【００６１】
なお、袋本体３で上下方向において最も変形が生じ易くなる位置は、第１の基材部２Ａと第２の基材部２Ｂとの接合部の上下方向における下縁、および、第１の基材部２Ａ又は第２の基材部２Ｂと注出口取付部５０との接合部の上下方向における下縁となる。この下縁を軸線として、袋本体３が注出口取付部５０に対して相対揺動しやくすくなり、この下縁に沿って破れ等の損傷が生じ易くなる。
【００６２】
この点から、保護装置２０は、第１の基材部２Ａのうちの注出口取付部５０の両端と第２の基材部２Ｂとの境目９１Ａと対面する部分の、袋本体３の上縁３ａに垂直な方向における注出口本体４１から離間する側（袋本体３の内部側、袋本体３の液体を収容している部分の側）となる、端部９１Ａｅを少なくとも覆っていることが有効である。同様に、保護装置２０は、第２の基材部２Ｂのうちの注出口取付部５０の両端と第１の基材部２Ａとの境目９１Ｂと対面する部分の、袋本体３の上縁３ａに垂直な方向における注出口本体４１から離間する側（袋本体３の内部側、袋本体３の液体を収容している部分の側）となる、端部９１Ｂｅを少なくとも覆っていることが有効である。また、保護装置２０は、袋本体３の上縁３ａに沿った少なくとも一部の領域において、第１の基材部２Ａと第２の基材部２Ｂとの接合部の、袋本体３の上縁３ａに垂直な方向における注出口本体４１から離間する側（袋本体３の内部側、袋本体３の液体を収容している部分の側）となる、縁部９０ｅを少なくとも覆っていることが好ましい。さらに、保護装置２０は、袋本体３の上縁３ａに沿った少なくとも一部の領域において、基材部２Ａ，２Ｂと注出口取付部５０との接合部の、袋本体３の上縁３ａに垂直な方向における注出口本体４１から離間する側（袋本体３の内部側、袋本体３の液体を収容している部分の側）となる、縁部９３を少なくとも覆っていることが好ましい。
【００６３】
このような保護装置２０は、例えばポリアセタールまたはポリエチレン製となっている。
【００６４】
次に図３、図５Ａ及び図５Ｂに示された保護装置２０の一例を参照して、保護装置２０について詳述する。図３、図５Ａ及び図５Ｂに示された保護装置２０は互いに連結可能な一対の保護具２１Ａ、２１Ｂを有し、これら一対の保護具２１Ａ、２１Ｂは同一の構造をもつ。
【００６５】
また各保護具２１Ａ、２１Ｂはいずれも上述した注出口取付部５０の両端近傍の部分を覆う保護具本体２２と、この保護具本体２２から２つに分岐する二股部２３とを有する。二股部２３は、保護具本体２２から延び出した第１腕部２３Ａ及び第２腕部２３Ｂを含んでいる。第１腕部２３Ａ及び第２腕部２３Ｂは、保護具本体２２の端部から延び出している。第１腕部２３Ａ及び第２腕部２３Ｂは、保護具本体２２から離間するにつれて互いから離間していく。
【００６６】
そして保護具２１Ａの二股部２３の先端部と、保護具２１Ｂの二股部２３の先端部とが互いに連結されて、保護具２１Ａの二股部２３と保護具２１Ｂの二股部２３とにより注出口取付部５０を外方から覆うようになっている。言い換えると、保護具２１Ａの二股部２３と保護具２１Ｂの二股部２３とによって、注出口取付部５０が取り囲まれている。
【００６７】
また一方の保護具２１Ａの二股部２３の先端部には、各々上下方向に沿って係合突起２３ａと係合溝２３ｂが設けられている。
【００６８】
さらに他方の保護具２１Ｂの二股部２３の先端部にも、各々上下方向に沿って係合突起２３ａと係合溝２３ｂが設けられている。
【００６９】
また各保護具２１Ａ、２１Ｂの保護具本体２２は、いずれも袋本体３の上縁３ａが入り込む収納溝２５を有している。
【００７０】
上述のように袋本体３は六面体の箱型形状を有し、袋本体３の上縁３ａは、袋本体３の上面３５の中央部を通って延びている。
【００７１】
保護装置２０を袋本体３の上縁３ａに装着する場合、各々の保護具２１Ａ、２１Ｂを袋本体３の上方から上縁３ａに向かって装着する。この場合、袋本体３の上縁３ａを各保護具２１Ａ、２１Ｂの収納溝２５に挿入し、次に各保護具２１Ａ、２１Ｂの二股部２３を互いに接近させ、一方の保護具２１Ａの二股部２３に設けられた係合突起２３ａを他方の保護具２１Ｂの二股部２３に設けられた係合溝２３ｂに係合させる。
【００７２】
このようにして一方の保護具２１Ａと他方の保護具２１Ｂを連結させて、保護装置２０を得ることができる。
【００７３】
図３に示すように、一対の保護具２１Ａ、２１Ｂを互いに連結することにより構成された保護装置２０を袋本体３の上縁３ａに装着することにより、とりわけ注出口取付部５０の両端近傍の部分９０に大きな荷重負荷が加わっても、この部分９０を保護装置２０により効果的に保護することができる。
【００７４】
なお、後述のように、液体収納容器１は開口部５ａから外装容器５に挿入するため（図２３参照）、保護装置２０が上縁３ａの両端部３ｅまで達していると外装容器５に挿入しにくくなる。このため、保護装置２０は上縁３ａの両端部３ｅまで達していないことが好ましく、そのような形態により袋本体３の上縁３ａに保護装置２０を装着後に外装容器５内へ挿入し易くなる。更に、袋本体３の上縁３ａが入り込む収納溝２５を有する保護装置２０により、各々の保護具２１Ａ、２１Ｂを袋本体３の上方から上縁３ａに向かって装着することができるため、外装容器５に液体収納容器１を挿入後に外装容器５の開口部５ａを介して保護装置２０を装着することも可能となる。
【００７５】
ところで、図５Ａ及び図５Ｂに示すように、保護具２１Ａ，２１Ｂは、保護具本体２２および二股部２３の少なくともいずれかに接続した位置決め部２４を、更に有している。位置決め部２４は、注出口４０に接触することで注出口４０に対して当該保護具２１Ａ，２１Ｂを所定の位置に位置決めする。図示された例において、位置決め部２４は、保護具本体２２から延出した板状部２４ａとして形成されている。
【００７６】
図３及び図４に示すように、注出口４０の注出口本体４１の下端部、言い換えると、注出口本体４１の注出口取付部５０への接続部は、縮径したくびれ部４１ａを形成している。図４に示すように、板状部２４ａが注出口４０のくびれ部４１ａに挿入されることで、一方の保護具２１Ａが注出口４０に対して位置決めされる。同様に、板状部２４ａが注出口４０のくびれ部４１ａに挿入されることで、他方の保護具２１Ｂが注出口４０に対して位置決めされる。一対の保護具２１Ａ，２１Ｂが注出口４０に対して位置決めされることで、一対の保護具２１Ａ，２１Ｂが互いに対しても位置決めされるようになる。
【００７７】
図示された例において、板状部２４ａは、注出口４０に面接触する主面２４ｂと、注出口４０に接触する端面２４ｃと、を含んでいる。端面２４ｃは、主面２４ｂに対して非平行な面となっている。とりわけ図示された例において、端面２４ｃは、主面２４ｂに対して垂直な面となっている。主面２４ｂは、板状部２４ａの上面として形成されている。主面２４ｂは、注出口本体４１の後述する底部４３の下面に上下方向における下方から面接触する。端面２４ｃは、くびれ部４１ａに横方向から接触する。端面２４ｃが注出口本体４１に接触することで、注出口４０に対する保護具２１Ａ，２１Ｂの幅方向（上縁３ａに沿った方向）における相対位置を位置決めすることができる。
【００７８】
一方、主面２４ｂが注出口本体４１に接触することで、注出口４０に対する保護具２１Ａ，２１Ｂの上下方向における相対位置を位置決めすることができる。袋本体３の内部が膨らむ等して一対の基材部２Ａ，２Ｂが互いから離間する際、上下方向において一対の基材部２Ａ，２Ｂの接続部の下縁を収納溝２５に収納した保護具２１Ａ，２１Ｂは、袋本体３から上方に持ち上げられる力を加えられる。しかしながら、主面２４ｂが注出口本体４１に下方から接触することで、保護具２１Ａ，２１Ｂの袋本体３に対する上方への相対移動を規制することができる。これにより、保護装置２０の袋本体３に対する相対位置が維持され、保護装置２０によって袋本体３を適切に保護することが可能となる。
【００７９】
図示された例において、位置決め部２４の板状部２４ａは、二股部２３の第１腕部２３Ａ及び第２腕部２３Ｂにそれぞれ接続している。すなわち、第１腕部２３Ａ及び第２腕部２３Ｂは、板状部２４ａによって連結されている。これにより、細長状で変形しやすい二股部２３の第１腕部２３Ａ及び第２腕部２３Ｂが、板状部２４ａによって補強され、変形を抑制される。二股部２３の第１腕部２３Ａ及び第２腕部２３Ｂの変形が抑制されることで、保護具２１Ａ，２１Ｂが袋本体３に対して所定の位置に維持される。これにより、保護装置２０によって袋本体３を適切に保護することが可能となる。すなわち、位置決め部２４の板状部２４ａは、保護具２１Ａ，２１Ｂの位置決め機能を発揮するだけでなく、保護具２１Ａ，２１Ｂの補強部としても機能する。
【００８０】
さらに図示された例において、位置決め部２４の板状部２４ａは、二股部２３の第１腕部２３Ａ及び第２腕部２３Ｂだけでなく、保護具本体２２にも接続している。このような位置決め部２４は、二股部２３の変形をより効果的に防止することができる。
【００８１】
また、図示された保護具２１Ａ，２１Ｂは、図５Ａ及び図５Ｂによく示されているように、保護具本体２２及び二股部２３の上下方向における下縁となる部分に、上下方向に非平行な方向、典型的には上下方向と垂直な方向に突出したつば部２３ｅを有している。袋本体３の内部が膨らむ場合、一対の基材部２Ａ，２Ｂは、互いから離間するように動作する。このとき、基材部２Ａ，２Ｂは、保護具本体２２及び二股部２３の上下方向における下縁に接触し、この下縁に力を作用させる。つば部２３ｅは、基材部２Ａ，２Ｂからの力が加えられる傾向にある保護具本体２２及び二股部２３の下縁を補強する。このつば部２３ｅによって、保護具２１Ａ，２１Ｂの変形を効果的に抑制することができ、保護具２１Ａ，２１Ｂを袋本体３に安定して固定し、保護具２１Ａ，２１Ｂによって袋本体３を安定して保護することができる。
【００８２】
同様に、図示された保護具２１Ａ，２１Ｂは、図５Ａ及び図５Ｂによく示されているように、保護具本体２２の幅方向における端部に、幅方向に非平行な方向、典型的には幅方向と垂直な方向に突出したつば部２３ｆを有している。袋本体３の内部が膨らむ場合、基材部２Ａ，２Ｂは、保護具本体２２の幅方向における端部に接触し、この端部に力を作用させる。つば部２３ｆは、基材部２Ａ，２Ｂからの力が加えられる傾向にある保護具本体２２の端部を補強する。このつば部２３ｆによって、保護具２１Ａ，２１Ｂの変形を効果的に抑制することができ、保護具２１Ａ，２１Ｂを袋本体３に安定して固定し、保護具２１Ａ，２１Ｂによって袋本体３を安定して保護することができる。
【００８３】
なお、以上に説明した説明した保護具２１Ａ，２１Ｂは、一例に過ぎず、種々の変形等が可能である。変形の一例として、図５Ｃ及び図５Ｄには保護装置２０の他の例が図示されている。
【００８４】
図５Ｃ及び図５Ｄに示された例において、保護具本体２２及び二股部２３の上下方向における下縁となる部分に面取り部２３ｇが形成されている。同様に、保護具本体２２の幅方向における端部に面取り部２３ｈが形成されている。既に説明したように、袋本体３の内部が膨らむ等に起因して基材部２Ａ，２Ｂが互いから離れる場合、基材部２Ａ，２Ｂは、これらの面取り部２３ｇ及び面取り部２３ｈが設けられた位置に当接するようになる。したがって、これらの面取り部２３ｇ及び面取り部２３ｈを設けることによって、袋本体３の破損を効果的に防止することが可能となる。
【００８５】
また、図５Ｃ及び図５Ｄに示された例において、保護装置２０は、一方の保護具２１Ａ及び他方の保護具２１Ｂを有している。各保護具２１Ａ，２１Ｂは、保護具本体２２と、保護具本体２２から延出した第１腕部２３Ａ及び第２腕部２３Ｂを含む二股部２３と、を有している。第１腕部２３Ａは、その先端部に、上下方向に沿って、係合溝２３ｂ、係合突起２３ａ及び規制凹部（規制切欠部）２３ｄを有している。第２腕部２３Ｂは、その先端部に、上下方向に沿って、規制突起２３ｃ、係合溝２３ｂ及び係合突起２３ａを有している。すなわち、図５Ａ及び図５Ｂに示された保護具２１Ａ，２１Ｂと異なり、図５Ａ及び図５Ｂに示された保護具２１Ａ，２１Ｂの二股部２３は、規制突起２３ｃ及び規制凹部２３ｄを更に有している。
【００８６】
図５Ｃ及び図５Ｄに示された保護装置２０では、一方の保護具２１Ａの二股部２３の先端部と他方の保護具２１Ｂの二股部２３の先端部を連結した際に、係合突起２３ａと係合溝２３ｂが噛み合うとともに、第２腕部２３Ｂの規制突起２３ｃが第１腕部２３Ａの規制凹部２３ｄ内に位置するようになる。そして、規制凹部２３ｄ内に位置した第２腕部２３Ｂの規制突起２３ｃは、第１腕部２３Ａと上下方向に重なることで、当該規制突起２３ｃを越える第１腕部２３Ａの第２腕部２３Ｂに対する上下方向一側への移動を規制することができる。そして、各保護具２１Ａ，２１Ｂが、それぞれ、第１腕部２３Ａ及び第２腕部２３Ｂを有していることから、一対の保護具２１Ａ，２１Ｂの上下方向両側への移動が規制されるようになる。
【００８７】
図５Ａ及び図５Ｂに示された保護装置２０では、係合突起２３ａ及び係合溝２３ｂによって一対の保護具２１Ａ，２１Ｂを連結することで、一対の保護具２１Ａ，２１Ｂの上下方向に垂直な方向への相対移動を規制することができる。図５Ｃ及び図５Ｄに示された保護装置２０では、更に規制突起２３ｃ及び規制凹部２３ｄを用いることで、一対の保護具２１Ａ，２１Ｂの上下方向への相対移動を規制することも可能となっている。図５Ｃ及び図５Ｄに示された保護装置２０によれば、袋本体３に対する保護装置２０の相対移動を更に効果的に防止することができ、保護装置２０を用いてより安定して袋本体３を保護することができる。
【００８８】
＜袋本体３の構造＞
次に液体収納容器１の袋本体３の構造について図８乃至図９により詳述する。図８および図９に示すように、第１の基材部２Ａと、第２の基材部２Ｂと、ガゼット部２Ｃを準備し、このうち、まず第１の基材部２Ａと第２の基材部２Ｂを重ね合わせる。次に第１の基材部２Ａと第２の基材部２Ｂの間に両側から、２つ折りされた折込部２Ｃ１を有する一対のガゼット部２Ｃを挿入し、接合して接合部１０を形成することにより袋本体３を得る。そして液体収納容器１はこの袋本体３と、この袋本体３の上縁３ａに配置され第１の基材部２Ａと第２の基材部２Ｂ間に熱融着された注出口４０とを備えている。
【００８９】
ここで「第１の基材部２Ａ」および「第２の基材部２Ｂ」は、各々別個のフィルムからなり、互いに重ね合わせて袋本体３を作製してもよく、１枚のフィルムを折畳むことにより第１の基材部２Ａと第２の基材部２Ｂを有する袋本体を作製してもよい。
【００９０】
また第１の基材部２Ａおよび第２の基材部２Ｂは、いずれも同様の材料からなり、例えば外側から内側へ向かって順に配置された外層／中間層／内層の３層構造をもつ。このうち、外層は延伸ナイロン（厚さ１５μｍ）／ポリエチレン（厚さ２５μｍ）／ポリエチレン（厚さ７０μｍ）の層構成をもつ。
【００９１】
また中間層はポリエチレン（厚さ６０μｍ）からなり、内層はポリエチレン（厚さ６０μｍ）からなる。
【００９２】
上述したように、液体収納容器１は袋本体３と、袋本体３の上縁３ａに配置され、第１の基材部２Ａと第２の基材部２Ｂとの間に熱融着された注出口４０とを備えているが、この場合、まず第１の基材部２Ａと第２の基材部２Ｂとが重ね合わされて、注出口４０の取付領域を除く上縁３ａを含む周縁が例えば１７５℃程度の加熱温度で接合される。
【００９３】
次に袋本体３の上縁３ａのうち注出口４０の取付領域内に注出口４０が配置され、注出口４０の注出口取付部５０と、第１の基材部２Ａおよび第２の基材部２Ｂとが１５０℃程度の加熱温度で接着される（第１段接着）。この第１段接着において、注出口取付部５０と第１の基材部２Ａおよび第２の基材部２Ｂとの間が接着されるとともに、注出口取付部５０の両端近傍の部分９０において第１の基材部２Ａおよび第２の基材部２Ｂとが接着される。
【００９４】
次に注出口４０の注出口取付部５０と、第１の基材部２Ａおよび第２の基材部２Ｂとが１６０℃程度の加熱温度で接着される（第２段接着）。
【００９５】
このように注出口４０の注出口取付部５０と第１の基材部２Ａおよび第２の基材部２Ｂとを、低温接着（１５０°Ｃ程度に加熱）と高温接着（１６０°Ｃ程度に加熱）とからなる２段階の接着工程により接着することにより、注出口取付部５０の両端近傍の部分９０が過度に加熱されて軟化したり、強度の低下が生じることを低減できる。
【００９６】
この場合、袋本体３は上縁３ａと、底縁３ｂと、側縁３ｃとを有して、第１の基材部２Ａの側方からみて、矩形形状を有している（図８参照）。
【００９７】
また、接合部１０は袋本体３の開口された上部３Ａを接合して形成された上縁接合部１０ａと、袋本体３の開口された底部３Ｂを接合して形成された底縁接合部１０ｂとを有する。また第１の基材部２Ａと一対のガゼット部２Ｃとの間は接合されて、側縁接合部１０Ｃが形成され、第２の基材部２Ｂと一対のガゼット部２Ｃとの間も接合されて側縁接合部１０Ｃが形成されている。なお、図８および図９に示す実施形態においては、第１の基材部２Ａおよび第２の基材部２Ｂが各々別個のフィルムからなる態様として説明するため、袋本体３の底部３Ｂが開口されているが、１枚のフィルムを折畳むことにより第１の基材部２Ａと第２の基材部２Ｂを有する袋本体３を作製する場合には、袋本体３の底部３Ｂが開口せずに折畳んだ箇所を接合して底縁接合部１０ｂを形成してもよい。
【００９８】
このうち上縁接合部１０ａは第１の基材部２Ａと第２の基材部２Ｂとを接合してなる上縁本体接合部１０ａ１と、第１の基材部２Ａとガゼット部２Ｃ、および第２の基材部２Ｂとガゼット部２Ｃを接合してなる上縁ガゼット部接合部１０ａ２を有する。
【００９９】
さらに底縁接合部１０ｂは第１の基材部２Ａと第２の基材部２Ｂとを接合してなる底縁本体接合部１０ｂ１と、第１の基材部２Ａとガゼット部２Ｃおよび第２の基材部２Ｂとガゼット部２Ｃを接合してなる底縁ガゼット部接合部１０ｂ２を有する。
【０１００】
このようにして、袋本体３と、袋本体３の上縁３ａに取付けられた注出口４０とによりガゼット状に構成された液体収納容器１が構成される。
【０１０１】
このような構成からなるガゼット状の液体収納容器１は、以下のようにコンパクトに折畳まれて、後述する大型の六面体の箱型形状をもつ外装容器５内に開口部５ａから挿入される（図２３参照）。
【０１０２】
次に図１０乃至図１９により、液体収納容器１の折畳み形態について述べる。
【０１０３】
まず図１０に示すようにガゼット状の液体収納容器１が準備される。
【０１０４】
次に図１１に示すように、袋本体３の底部３Ｂに矩形状底面３０が形成される。
【０１０５】
この場合、まず袋本体３の底部３Ｂを持上げて、袋本体３の底部３Ｂのうち第１の基材部２Ａ側を折曲線２Ａ１を介して内側へ折曲げ、同様に第２の基材部２Ｂ側を折曲線２Ｂ１を内側へ折曲げる。このようにして袋本体３の底部３Ｂに矩形状底面３０が形成され、この底面３０は上述した底縁接合部１０ｂを含む。
【０１０６】
次に、矩形状底面３０裏側において、ガゼット部２Ｃが三角形状に折込まれて、三角形状の三角形状部２Ｃ３が形成される。
【０１０７】
図１１において、底面３０は第１の基材部２Ａと第２の基材部２Ｂとを含み、第１の基材部２Ａは矩形状底面３０のうち、底縁接合部１０ｂの紙面上側に位置し、第２の基材部２Ｂは矩形状底面３０のうち底縁接合部１０ｂの紙面下側に位置している。
【０１０８】
また袋本体の底面３０を構成する第１の基材部２Ａおよび第２の基材部２Ｂの裏側に、第１の基材部２Ａと第２の基材部２Ｂの間に折込まれたガゼット部２Ｃの縁２Ｃ２が現われている（図１１参照）。
【０１０９】
次に図１２に示すように、底面３０に底縁接合部１０ｂに沿って、少なくとも底縁接合部１０ｂのうち、第１の基材部２Ａとガゼット部２Ｃとの間および第２の基材部２Ｂとガゼット部２Ｃとの間の底縁ガゼット部接合部１０ｂ２同士を固定するため第１固定テープ３１が設けられる。しかしながらこの第１固定テープ３１は底面３０のうち底縁接合部１０ｂの一端から他端まで底縁接合部１０ｂに沿って延びていてもよい。
【０１１０】
このように底縁ガゼット部接合部１０ｂ２を第１固定テープ３１で固定することにより、矩形状底面３０の矩形形状を確実に維持することができる。
【０１１１】
次に底面３０と、この底面３０の両側に配置された一対のガゼット部２Ｃとを第３固定テープ３２によって固定し、底面３０とこの底面３０の両側に配置された一対のガゼット部２Ｃとの間を堅固に固定する。上述のように底面３０を構成する第１の基材部２Ａおよび第２の基材部２Ｂの裏面に、ガゼット部２Ｃが折込まれて三角形状部２Ｃ３が形成されるが、第３固定テープ３２によって底面３０とこの底面３０の両側に配置された一対のガゼット部２Ｃとの間を固定することにより、液体収納容器１の袋本体３を膨らまし後に袋本体３の内部に液体を充填する際にガゼット部２Ｃが折りこまれて形成された三角形状の三角形状部２Ｃ３内に液体が進入しないようになっている。
【０１１２】
次に液体収納容器１を引っ繰り返し、底面３０を裏側へもってくる（図１３参照）。
【０１１３】
次に図１４に示すように、袋本体３の上部３Ａに矩形状上面３５が形成される。
【０１１４】
この場合、まず袋本体３の上部３Ａを持上げて袋本体３の上部３Ａのうち第１の基材部２Ａ側を折曲線２Ａ２を介して内側へ折曲げ、同様に第２の基材部２Ｂ側を折曲線２Ｂ２を内側へ折曲げる。このようにして袋本体３の上部３Ａに矩形状上面３５が形成され、この上面３５は上述した上縁接合部１０ａを含む。
【０１１５】
次に、矩形状上面３５裏側において、ガゼット部２Ｃが三角形状に折込まれて、三角形状の三角形状部２Ｃ３が形成される。
【０１１６】
図１４において、上面３５は第１の基材部２Ａと第２の基材部２Ｂとを含み、第１の基材部２Ａは矩形状上面３５のうち上縁接合部１０ａの紙面上側に位置し、第２の基材部２Ｂは矩形状上面３５のうち上縁接合部１０ａの紙面下側に位置している。
【０１１７】
また袋本体の上面３５を構成する第１の基材部２Ａおよび第２の基材部２Ｂの裏側に第１の基材部２Ａと第２の基材部２Ｂの間に折込まれたガゼット部２Ｃの縁２Ｃ２が現われている（図１４参照）。
【０１１８】
次に図１５に示すように、上面３５に上縁接合部１０ａに沿って、少なくとも上縁接合部１０ａのうち、第１の基材部２Ａとガゼット部２Ｃの間および第２の基材部２Ｂとガゼット部２Ｃとの間の上縁ガゼット部接合部１０ａ２同士を固定するため第２固定テープ３６が設けられている。しかしながら、この第２固定テープ３６は上面３５のうち上縁接合部１０ａの一端から他端まで上縁接合部１０ａに沿って延びていてもよい。
【０１１９】
このように上縁ガゼット部接合部１０ａ２を第２固定テープ３６で固定することにより、矩形状上面３５の矩形形状を確実に維持することができる。
【０１２０】
次に上面３５と、この上面３５の両側に配置された一対のガゼット部２Ｃとを第４固定テープ３７によって固定し、上面３５とこの上面３５の両側に配置された一対のガゼット部２Ｃとの間を堅固に固定する。上述のように上面３５を構成する第１の基材部２Ａと第２の基材部２Ｂとの間に、ガゼット部２Ｃが折込まれて三角形状部２Ｃ３が形成されるが、第４固定テープ３７によって上面３５とこの上面３５の両側に配置された一対のガゼット部２Ｃとの間を固定することにより、液体収納容器１の袋本体３を膨らまし後に袋本体３の内部に液体を充填する際に、ガゼット部２Ｃが折り込まれて形成された三角形状の三角形状部２Ｃ３内に液体が進入しないようになっている。
【０１２１】
このように袋本体３の矩形状底面３０を第１固定テープ３１および第３固定テープ３２で固定することにより、底面３０はその矩形状の形を確実に維持することができる。また矩形状上面３５を第２固定テープ３６および第４固定テープ３７で固定することにより、上面３５はその矩形状の形を確実に維持することができる。なお、第１固定テープ３１、第２固定テープ３６、第３固定テープ３２および第４固定テープ３７は、これに限らず、テープに替えて、接着剤または粘着剤を用いてもよい。
【０１２２】
このため後述のように液体収納容器１をコンパクトに折畳み、六面体の箱型の外装容器５の開口部５ａから外装容器５内に挿入して液体収納容器１を膨らませた際、この液体収納容器１の外形を六面体の箱型外装容器５の内面に沿ってこの内面形状に合わせて膨らませることができる。なお、外装容器５としては六面体の箱型外装容器に限らず、円筒状や六面体以外の多面体の箱型外装容器を用いてもよい。
【０１２３】
次に図１６に示すように、液体収納容器１は上縁接合部１０ａと底縁接合部１０ｂとを重ね合せ、これら上縁接合部１０ａと底縁接合部１０ｂを折り目線として２つ折りされる。
【０１２４】
その後、２つ折りされた液体収納容器１は複数の縦方向折曲線１５に沿って蛇腹状に折畳まれる（図１７および図１８参照）。液体収納容器１は必ずしも蛇腹状に折畳む必要はないが、液体収納容器１を蛇腹状に折畳むことにより液体収納容器１を外装容器５内に挿入した際、この外装容器５内で容易に拡がることができる。この際、液体収納容器１をその袋本体３の上部と下部を結ぶ注出口４０を通る直線に直交する幅方向の中心線で折畳んだ場合、左右両側に各々縦方向折曲線１５によって液体収納容器は左右対称の蛇腹状に折り畳まれることがなお好ましい。すなわち、図１８に示すように、袋本体３の上部と下部を結ぶ注出口４０を通る直線に直交する幅方向の中心線を挟んで両側に形成される縦方向折曲線１５の山折りと谷折りの折り方向が同一方向に対称となるように折り畳まれることにより、液体収納容器１を外装容器５内に挿入した際、この外装容器５内でより一層容易に拡がることができる。
【０１２５】
縦方向の折り畳みは中心線で折畳む場合に限らず、液体収納容器１を外装容器５の開口部５ａから外装容器５内へ挿入出来る形状であれば、蛇腹状の折畳みでなくてもよい。
【０１２６】
次に図１９に示すように、縦方向折曲線１５に沿って蛇腹状に折畳まれた液体収納容器１は、この折畳まれた形状を維持するため上下に設けられた複数、例えば２つの保形部１７、１８により固定されてその形状が保たれる。
【０１２７】
保形部１７、１８はいずれも液体収納容器１の折畳まれた形状を維持するものであり、後述のように液体収納容器１内に注出口４０から気体が供給されて液体収納容器１が膨らむ際、保形部１７、１８が破断して液体収納容器１から外れる。この場合、注出口４０から液体収納容器１内に気体を供給すると、液体収納容器１の上方部分がまず膨らんで上方の保形部１７が破断して液体収納容器１から外れ、次に気体が液体収納容器１の下方部分へ送られてこの下方部分が膨らみ、下方の保形部１８が破断して液体収納容器１から外れる。このような保形部１７、１８としては、テープ状のものが考えられるが、ゴム状の帯状テープからなっていてもよく、粘着剤からなっていてもよい。またテープは取外自在のもの、破断自在のものが考えられる。また保形部１７、１８の数は１つでもよく、２つ以上であってもよい。このようにして、箱型外装容器５内において、箱型の袋本体３を得ることができる。
【０１２８】
＜注出口の構造＞
次に液体収納容器１の注出口４０について詳述する。注出口４０は、図２０に示すように袋本体３の上縁３ａに熱融着された注出口取付部５０と、該注出口取付部５０に連接され袋本体３から外方へ突出する注出口本体４１とを有し、注出口本体４１の上端には注出口フランジ４２が設けられている。また、注出口４０は注出口取付部５０で第１の基材部２Ａと第２の基材部２Ｂの間に熱融着されている。
【０１２９】
注出口４０の注出口取付部５０は、筒状に形成され、貫通穴４５を有している。例えば図２に示すように、注出口取付部５０は、菱形の鈍角を面取りしてなる外形状を有した筒状に形成されている。すなわち、袋本体３の幅方向および上下方向の両方に垂直な方向に沿った注出口取付部５０の寸法は、袋本体３の幅方向に沿って、注出口４０の中心から離間して両端に近付くにつれて次第に小さくなっていく。言い換えると、注出口取付部５０は、円柱状の外形状を有する中央部５１と、袋本体３の幅方向に沿って中央部５１の両側に位置する薄肉部５２と、を有している。このような外形状を有する５０は、図５Ａ〜図５Ｄに示された一対の保護具２１Ａ，２１Ｂの二股部２３によって、僅かなすき間を残して囲まれるようになる。また、単なる円筒状に形成された注出口取付部５０を基材部２Ａ，２Ｂの間に熱融着する場合、基材部２Ａ，２Ｂと注出口取付部５０の端部とで囲まれる２つの領域に隙間ができて密封不良となり易い。薄肉部５２を設けることで、このような不具合に対処して、基材部２Ａ，２Ｂと注出口取付部５０の端部とで囲まれる２つの領域に隙間が形成されることを効果的に防止することができる。
【０１３０】
また注出口４０の注出口本体４１は、断面形状が略Ｕ字形状の筒状体からなり、その上端周縁に注出口フランジ４２が設けられている。注出口本体４１の底部４３には、開口４４が形成されている。この開口４４によって液体収納容器１と、後述する外装容器５との間に通気を確保することができ、使用時に内容液を汲み出す際には、この開口４４を通じて液体収納容器１と外装容器５との間に気体を封入して、液体収納容器１の外部から圧力をかけて液体収納容器１内部の内容液の汲み出しをスムースに行うことができる。
【０１３１】
なお、上述したくびれ部４１ａは、底部４３の下方に形成されている。保護装置２０の位置決め部２４の主面２４ｂは、底部４３の裏面に当接するようになる。
【０１３２】
注出口４０の注出口フランジ４２は外装容器５に形成された開口部５ａに後述する保持具８０を介して装着され、液体収納容器１が外装容器５内で支持される。なお、注出口４０を開口部５ａに直接装着することが可能であれば、保持具８０は必ずしも設けなくてもよい。
【０１３３】
注出口４０は、好ましくは射出成形法にて製造される。これに用いる樹脂としては射出成形可能な樹脂であれば特に限定するものではないが、袋本体３の第１の基材部２Ａ、第２の基材部２Ｂの内面を構成する樹脂と熱融着により接合されるために、第１の基材部２Ａ、第２の基材部２Ｂの内面を構成する樹脂により適宜選択する必要があるが、通常は高温時でも剛性があり、低温時において脆化し難い高密度ポリエチレンが好適である。
【０１３４】
＜保持具の構造＞
ところで上述のように、注出口４０の注出口フランジ４２は外装容器５の開口部５ａに保持具８０を介して装着される。この保持具８０は、開口部５ａと注出口４０との間に介在されて、外装容器５の開口部５ａの形状が注出口フランジ４２の外形より多少大きくなっても開口部５ａに注出口４０を確実に装着するよう機能する。
【０１３５】
この保持具８０について、図２１および図２２により詳述する。
【０１３６】
保持具８０は外装容器５の開口部５ａに係合する外側フランジ８１と、この外側フランジ８１に連結段部８３を介して連結され注出口４０の注出口フランジ４２に係合する内側フランジ８２とを有し、全体として開口を有するリング形状からなる。
【０１３７】
このように構成された保持具８０に、液体収納容器１の注出口４０が装着される。
【０１３８】
＜液体収納容器の装着方法＞
液体収納容器１は外装容器５の開口部５ａから外装容器５内に挿入される。この場合、外装容器５は金属製または合成樹脂製の大型容器からなり、六面体の箱型形状をもち、内容量は、例えば１０００ｌ程度の大容量をもつ。
【０１３９】
次に液体収納容器１の注出口４０が開口部５ａ外方から突出した状態で、袋本体３の上縁３ａに保護装置２０が装着される。
【０１４０】
この場合、上述のように、まず保護装置の一対の保護具２１Ａ、２１Ｂの保護具本体２２が、袋本体３の上縁３ａに対して上方から上縁３ａに向かって接近し、保護具本体２２の収納溝２５に上縁３ａが入り込む。次に一対の保護具２１Ａ、２１Ｂの二股部２３、２３が互いに連結され、この二股部２３、２３によって注出口取付部５０を囲む。このようにして一対の保護具２１Ａ、２１Ｂからなる保護装置２０を袋本体３の上縁３ａに装着することができる。なお、液体収納容器１を外装容器５に挿入する前に、袋本体３の上縁３ａに保護装置２０を装着し、装着後に液体収納容器１を外装容器５に挿入してもよい。
【０１４１】
次に液体収納容器１の注出口４０が開口部５ａ外方から突出した状態で、注出口４０に保持具８０が装着される。
【０１４２】
なお、上記実施の形態において、液体収納容器１を外装容器５内に挿入した後、注出口４０に保持具８０を取り付けた例を示したが、これに限らず、注出口４０に保持具８０を取り付けた後、液体収納容器１を外装容器５内に挿入しても良い。また、保持具８０は、必ずしも使用しなくてもよい。
【０１４３】
次に注出口４０と保持具８０とを有する注出口と保持具の組合体８０Ａが外装容器５の開口部５ａに装着される。この場合、保持具８０の外側フランジ８１が外装容器５の開口部５ａに係合する。
【０１４４】
＜保護装置２０の変形例＞ 
次に図６Ａにより保護装置２０の変形例について説明する。 
【０１４５】
上記実施の形態において、保護装置２０は互いに連結可能な一対の保護具２１Ａ、２１Ｂを有する例を示したが、これに限らず図６Ａに示すように、互いに分離する一対の保護装置２０，２０を設けてもよい。
【０１４６】
各保護装置２０，２０は袋本体３の上縁３ａが入り込む収納溝２５を含み、各保護装置２０，２０は互いに連結することなく、分離している。また各保護装置２０，２０は各々連結具２５Ａを介して注出口４０に連結されている。さらに各保護装置２０，２０は、袋本体３のうちの注出口取付部５０の両端に隣接する部分を覆っている。また、各保護装置２０，２０は、注出口取付部５０の両端近傍における第１の基材部２Ａと第２の基材部２Ｂが接合される部分９０を覆っている。 
【０１４７】
上述のように袋本体３のうちの注出口取付部５０の両端に隣接する部分や注出口取付部５０の両端近傍の部分９０は、内容物の充填時に大きな荷重負荷が加わる部分であるが、この部分９０を各保護装置２０，２０により覆うことにより、この部分９０を効果的に保護することができる。 また、各保護装置２０，２０は、連結具２５Ａを介して注出口４０に連結されているため、液体収納容器１を外装容器５に挿入し液体収納容器１内に液体を充填した状態で輸送に供する際においても、輸送時の振動に対して各保護装置２０，２０が袋本体３の上縁３ａから離脱することが抑制され、袋本体３のうちの注出口取付部５０の両端に隣接する部分や注出口取付部５０の両端近傍における第１の基材部２Ａと第２の基材部２Ｂとが接合される部分９０を効果的に保護することができる。なお、上記実施の形態において、各保護装置２０，２０は各々連結具２５Ａを介して注出口４０に連結されている例を示したが、これに限らず、各保護装置２０，２０は各々連結具２５Ａを介することなく注出口４０と一体に成形されることで注出口４０に連結されていても良い。
【０１４８】
なお、図６Ａにおいて、袋本体３の上縁３ａに装着された各保護装置２０，２０は上縁３ａの中央部に位置しており、上縁３ａの両端部３ｅまで達していない。
【０１４９】
また、図６Ｂに示すように、互いに分離する一対の保護装置２０，２０を設けてもよい。各保護装置２０，２０は袋本体３の上縁３ａが入り込む収納溝２５を含み、各保護装置２０，２０は互いに連結することなく、分離している。また各保護装置２０，２０は、注出口４０に連結されていない。このため各保護装置２０，２０を容易に袋本体３の上縁３ａに装着することができ、この保護装置２０，２０によって、袋本体３のうちの注出口取付部５０の両端に隣接する部分や注出口取付部５０の両端近傍における第１の基材部２Ａと第２の基材部２Ｂが接合される部分９０を、効果的に保護することができる。 また、この態様によれば、各々の保護装置２０，２０を袋本体３の上縁３ａに対して上方から上縁３ａに向かって接近させるだけで装着することができるため、外装容器５に液体収納容器１を挿入後に外装容器５の開口部５ａを介して各保護装置２０，２０を装着することが簡易となる。
【０１５０】
また、図６Ｂに示す態様の他の態様として、図６Ｃおよび図６Ｄに示すように、互いに分離する一対の保護装置２０，２０を粘着剤もしくは接着剤９５を塗布したセロファンやシリコンゴムなどの柔軟性のある樹脂やゴムなどを用いることによって、袋本体３のうちの注出口取付部５０の両端に隣接する部分や注出口取付部５０の両端近傍における第１の基材部２Ａと第２の基材部２Ｂが接合される部分９０を覆ってもよい。各保護装置２０，２０は、粘着剤もしくは接着剤９５を塗布した面を液体収納容器１側に向け、袋本体３の上縁３ａを挟み込みながら第１の基材部２Ａから第２の基材部２Ｂへと跨ぐことで、袋本体３のうちの注出口取付部５０の両端に隣接する部分や第１の基材部２Ａと第２の基材部２Ｂが接合される部分９０を覆っている。この保護装置２０，２０によって、袋本体３のうちの注出口取付部５０の両端に隣接する部分や注出口取付部５０の両端近傍における第１の基材部２Ａと第２の基材部２Ｂが接合される部分９０を効果的に保護することができる。
【０１５１】
さらにまた、図７Ａに示すように、箱型形状の外装容器５において保持具８０を使用する場合に、保持具８０に互いに分離する２つの保護装置２０，２０を取付けてもよい。この態様によれば、各保護装置２０，２０は、連結具８５を介して、保持具８０に連結されており、保持具８０を注出口４０に装着する際に、各保護装置２０，２０を袋本体３の上縁３ａに装着することができる。図７Ａに示す態様によれば、保護装置２０，２０によって、袋本体３のうちの注出口取付部５０の両端に隣接する部分や注出口取付部５０の両端近傍における第１の基材部２Ａと第２の基材部２Ｂが接合される部分９０を効果的に保護することができ、かつ、液体収納容器１を外装容器５に挿入し液体収納容器１内に液体を充填した状態で輸送に供する際においても、輸送時の振動に対して各保護装置２０，２０が袋本体３の上縁３ａから離脱することが抑制され、注出口取付部５０の両端近傍の部分９０を効果的に保護することができる。なお、上記実施の形態において、各保護装置２０，２０は連結具８５を介して保持具８０に連結されている例を示したが、これに限らず、各保護装置２０，２０は連結具８５を介することなく保持具８０と一体に成形されることで保持具８０に連結されていても良い。
【０１５２】
さらに上記実施の形態において、液体収納容器１がガゼット状の袋本体３を有する例を示したが、これに限らず図７Ｂに示すように、液体収納容器１はガゼット部２Ｃを備えることなく、第１の基材部２Ａと第２の基材部２Ｂを重ね合わせて、上縁３ａ、底縁３ｂ、側縁３ｃを接合した袋本体３を有していてもよい。第１の基材部２Ａと第２の基材部２Ｂの上縁３ａは接合されて上縁接合部１０ａが形成され、第１の基材部２Ａと第２の基材部２Ｂの底縁３ｂが接合されて底縁接合部１０ｂが形成され、第１の基材部２Ａと第２の基材部２Ｂの側縁３ｃが接合されて側縁接合部１０ｃが形成されている。また、袋本体３の上縁３ａに注出口４０が取付けられ、保護装置２０が袋本体３の上縁３ａに取り付けられている。保護装置２０は、袋本体３のうちの注出口取付部５０の両端に隣接する部分や注出口取付部５０の両端近傍における第１基材部２Ａと第２の基材部２Ｂが接合される部分９０を覆っている。
【０１５３】
＜保護装置２０の作用効果を示す実施例＞ 
次に保護装置２０の作用効果を、具体的実施例を用いて説明する。
【０１５４】
本実施例において、図１乃至図５Ｂに示すような横幅４００ｍｍ×高さ２００ｍｍ×縦幅３００ｍｍ の袋本体３と注出口４０とを有する液体収納容器１を準備した。
【０１５５】
この場合、袋本体３の上縁３ａに保護装置２０も装着した２つの液体収納容器１を準備した。
【０１５６】
次に袋本体３内に注出口４０から水を充填し、注出口４０を蓋（図示せず）で密封した。
【０１５７】
その後、袋本体３に対して注出口４０を右方向および左方向へ順次回転させ、袋本体３が破断するところで回転を停止する破断試験を実施した。
【０１５８】
この場合、袋本体３内にいずれも１７Ｌずつの水を充填した。
【０１５９】
破断試験の結果を図２４に示す。図２４に示すように、保護装置２０を装着した２つの液体収納容器１では、５００回、注出口４０を回転するまで、袋本体３は破断しなった（ＯＫ）。
【０１６０】
なお、本実施例において、いずれの液体収納容器１にも、袋本体３に破断の起点となる合成樹脂製の突起９２が形成されていた。
【０１６１】
一方、袋本体３の上縁３ａに保護装置２０を装着しない比較例としての３つの液体収納容器１を準備するとともに、各液体収納容器１に対して破断試験を実施した。
【０１６２】
この場合、袋本体３内に、いずれも１７Ｌずつの水を充填した。
【０１６３】
破断試験の結果を図２４に示す。図２４に示すように、合成樹脂製の突起９２をもたない袋本体３では２００回、注出口４０を回転するまで袋本体３は破断しなかった（ＯＫ）。しかしながら合成樹脂製の突起９２を有する袋本体３では、１００回、あるいは１５０回、注出口４０を回転したことにより袋本体３が破断してしまった（ＮＧ）。
【図１】
0006607479.tif 000002
【図２】
0006607479.tif 000003
【図３】
0006607479.tif 000004
【図４】
0006607479.tif 000005
【図５Ａ】
0006607479.tif 000006
【図５Ｂ】
0006607479.tif 000007
【図５Ｃ】
0006607479.tif 000008
【図５Ｄ】
0006607479.tif 000009
【図６Ａ】
0006607479.tif 000010
【図６Ｂ】
0006607479.tif 000011
【図６Ｃ】
0006607479.tif 000012
【図６Ｄ】
0006607479.tif 000013
【図７Ａ】
0006607479.tif 000014
【図７Ｂ】
0006607479.tif 000015
【図８】
0006607479.tif 000016
【図９】
0006607479.tif 000017
【図１０】
0006607479.tif 000018
【図１１】
0006607479.tif 000019
【図１２】
0006607479.tif 000020
【図１３】
0006607479.tif 000021
【図１４】
0006607479.tif 000022
【図１５】
0006607479.tif 000023
【図１６】
0006607479.tif 000024
【図１７】
0006607479.tif 000025
【図１８】
0006607479.tif 000026
【図１９】
0006607479.tif 000027
【図２０】
0006607479.tif 000028
【図２１】
0006607479.tif 000029
【図２２】
0006607479.tif 000030
【図２３】
0006607479.tif 000031
【図２４】
0006607479.tif 000032